(57)【要約】【課題】  漏洩磁束が懸念される磁石が不要であるとともに、折り畳み型携帯通信機のデザイン性及び操作性を損なうことのない開閉検知構造及びこの開閉検知構造を備える折り畳み型携帯通信機を提供する。【解決手段】  ヒンジ部３０を介して連結された第１及び第２筐体１０、２０を備える折り畳み型携帯通信機１００の開閉状態を検出する開閉検知構造である。ヒンジ部３０は、第１筐体１０と一体的な第１部分３１を備え、第２筐体２０において第１部分３１によって覆われた部位にはスイッチ１３を設けた。第１部分３１において、第１及び第２筐体１０，２０を閉じた状態でスイッチ１３の出没部１３Ａと対向する部位には溝部１５を設けた。第１及び第２筐体１０，２０を開いた際には出没部１３Ａが突出して溝部１５に入り込みスイッチ１３が開状態を検出し、閉じた際には出没部１３Ａが第１部分３１の周面１９により押し込まれスイッチ１３が閉状態を検出する。【選択図】    図２
2006186501.tif 000002
【特許請求の範囲】
【請求項１】
ヒンジ部を介して相互に開閉可能に連結された第１筐体及び第２筐体を備えて構成された折り畳み型携帯通信機の開閉状態を検出するための開閉検知構造であって、
前記ヒンジ部は、前記第１筐体の一部により構成されているか又は前記第１筐体と一体化された第１部分を備えてなり、
前記第２筐体において前記ヒンジ部の前記第１部分によって覆われた部位には、前記ヒンジ部の前記第１部分側に向けて突出する方向へと付勢された出没部を備えてなるスイッチを設け、
前記ヒンジ部の前記第１部分において、前記第１筐体及び第２筐体を相互に閉じた状態で前記スイッチの出没部と対向する部位には、凹部を設け、
前記第１筐体及び第２筐体を相互に開いた際には、前記スイッチの出没部が突出して前記凹部内に入り込み、前記スイッチが前記折り畳み型携帯通信機の開状態を検出する一方、
前記第１筐体及び第２筐体を相互に閉じた際には、前記スイッチの出没部が前記ヒンジ部の前記第１部分の周面により押し込まれ、前記スイッチが前記折り畳み型携帯通信機の閉状態を検出すること、
を特徴とする折り畳み型携帯通信機の開閉検知構造。
【請求項２】
前記凹部は、前記ヒンジ部の前記第１部分において、前記第１筐体及び第２筐体を相互に閉じた状態以外の状態時に前記スイッチの出没部と対向する部位に延在する弧状の溝部であることを特徴とする請求項１に記載の折り畳み型携帯通信機の開閉検知構造。
【請求項３】
ヒンジ部を介して相互に開閉可能に連結された第１筐体及び第２筐体を備えて構成された折り畳み型携帯通信機の開閉状態を検出するための開閉検知構造であって、
前記ヒンジ部は、前記第１筐体の一部により構成されているか又は前記第１筐体と一体化された第１部分を備えてなり、
前記第２筐体において前記ヒンジ部の前記第１部分によって覆われた部位には、前記ヒンジ部の前記第１部分側に向けて突出する方向へと付勢された出没部を備えてなるスイッチを設け、
前記ヒンジ部の前記第１部分において、前記第１筐体及び第２筐体を相互に閉じた状態で前記スイッチの出没部と対向する部位には、凹部を設け、
前記第１筐体及び第２筐体を相互に閉じた際には、前記スイッチの出没部が突出して前記凹部内に入り込み、前記スイッチが前記折り畳み型携帯通信機の閉状態を検出する一方、
前記第１筐体及び第２筐体を相互に開いた際には、前記スイッチの出没部が前記ヒンジ部の前記第１部分の周面により押し込まれ、前記スイッチが前記折り畳み型携帯通信機の開状態を検出すること、
を特徴とする折り畳み型携帯通信機の開閉検知構造。
【請求項４】
前記凹部は、前記ヒンジ部の前記第１部分において、前記第１筐体及び第２筐体を相互に開いた状態以外の状態時に前記スイッチの出没部と対向する部位に延在する溝部であることを特徴とする請求項３に記載の折り畳み型携帯通信機の開閉検知構造。
【請求項５】
着信の際にその旨を報知するための発光動作を行う着信報知用発光部を備え、
前記着信報知用発光部の少なくとも一部は、前記凹部内に配され、前記第１筐体及び第２筐体を相互に閉じた際に前記折り畳み型携帯通信機の外部より視認可能となることを特徴とする請求項１乃至４の何れか一項に記載の折り畳み型携帯通信機の開閉検知構造。
【請求項６】
前記ヒンジ部の外形形状は、前記凹部の形成領域を除いては、略一定径の略円筒状であることを特徴とする請求項１乃至５の何れか一項に記載の折り畳み型携帯通信機の開閉検知構造。
【請求項７】
ヒンジ部を介して相互に開閉可能に連結された第１筐体及び第２筐体を備えて構成された折り畳み型携帯通信機の開閉状態を検出するための開閉検知構造であって、
前記ヒンジ部は、前記第１筐体の一部により構成されているか又は前記第１筐体と一体化された第１部分を備えてなり、
前記第２筐体において前記ヒンジ部の前記第１部分によって覆われた部位には、前記ヒンジ部の前記第１部分側に向けて突出する方向へと付勢された出没部を備えてなるスイッチを設け、
前記ヒンジ部の前記第１部分において、前記第１筐体及び第２筐体を相互に開いた状態で前記スイッチの出没部と対向する部位には、凸部を設け、
前記第１筐体及び第２筐体を相互に開いた際には、前記スイッチの出没部が前記凸部により押し込まれ、前記スイッチが前記折り畳み型携帯通信機の開状態を検出する一方、
前記第１筐体及び第２筐体を相互に閉じた際には、前記スイッチの出没部が突出し、前記スイッチが前記折り畳み型携帯通信機の閉状態を検出すること、
を特徴とする折り畳み型携帯通信機の開閉検知構造。
【請求項８】
前記凸部を備えて構成され、着信の際にその旨を報知するための発光動作を行う着信報知用発光部を備え、
前記着信報知用発光部の少なくとも一部は、前記第１筐体及び第２筐体を相互に閉じた際に前記折り畳み型携帯通信機の外部より視認可能となることを特徴とする請求項７に記載の折り畳み型携帯通信機の開閉検知構造。
【請求項９】
前記ヒンジ部の外形形状は、前記凸部の形成領域を除いては、略一定径の略円筒状であることを特徴とする請求項７又は８に記載の折り畳み型携帯通信機の開閉検知構造。
【請求項１０】
前記スイッチの出没部は、前記第２の筐体に形成された開口部を介して、該第２の筐体外に突出していることを特徴とする請求項１乃至９の何れか一項に記載の折り畳み型携帯通信機の開閉検知構造。
【請求項１１】
請求項１乃至１０の何れか一項に記載の開閉検知構造を備えることを特徴とする折り畳み型携帯通信機。
【請求項１２】
当該折り畳み型携帯通信機は、携帯電話機であることを特徴とする請求項１１に記載の折り畳み型携帯通信機。
【発明の詳細な説明】
【技術分野】
【０００１】
本発明は、折り畳み型携帯通信機の開閉検知構造及びこれを備える折り畳み型携帯通信機に関する。
【背景技術】
【０００２】
従来、携帯電話機或いはその他の携帯通信機としては、ヒンジ機構を介して相互に開閉可能に連結された２つのケース体（筐体）を備えてなるタイプのもの、すなわち折り畳み型携帯通信機が一般に知られている。
【０００３】
そのような折り畳み型携帯通信機としては、省電力化の目的、並びに、多機能化を実現するキー割付を行う目的で、２つのケース体を相互に開いた状態と閉じた状態とを検知するための機構を設けたものが一般的である。
【０００４】
そのような開閉検知機構の一例としては、一方のケース体には磁石を設け、他方のケース体にはホールＩＣ（ＩＣ：Ｉｎｔｅｇｒａｔｅｄ  Ｃｉｒｃｕｉｔ）を設け、このホールＩＣにより検出される磁束量の変化に基づき開閉状態を検知する機構がある。
【０００５】
＜第１の従来例＞
図１２は、磁石及びホールＩＣからなる開閉検知機構を備えるタイプの従来の折り畳み型携帯通信機５００を示す斜視図であり、特に、開いた状態を示している。図１２においては、ケース内部を見せるために、ケースの一部を切り欠いている。また、図１３は図１２の折り畳み型携帯通信機５００を閉じた状態の断面図（要部断面図）である。
【０００６】
図１２に示すように、折り畳み型携帯通信機５００は、第１及び第２のケース体５０１、５０２と、これら第１及び第２のケース体５０１，５０２を相互に回動可能に連結するヒンジ部５０３と、を備えて構成されている。
【０００７】
図１３に示すように、第１のケース体５０１の内部には第１の制御基板５０７が備えられ、第２のケース体５０２の内部には第２の制御基板５０８が備えられている。
【０００８】
また、図１２に示すように、第１のケース体５０１において、閉じた際に内側となる面には、例えば液晶表示装置からなる表示部５０４が設けられている。
【０００９】
他方、第２のケース体５０２において、閉じた際に内側となる面には、例えば複数個の操作キー（図示略）からなる操作部（図示略）が設けられている。
【００１０】
この操作部を操作しないときには第１及び第２のケース体５０１，５０２を相互に閉じて折り畳み型携帯通信機５００を折り畳むことにより、該折り畳み型携帯通信機５００は携帯性に優れた状態（図１３の状態）となる。
【００１１】
このように折り畳み型携帯通信機５００を折り畳んだ状態では、表示部５０４の表示動作が停止するとともに、操作部の各操作キーの内部に配されたライト（図示略）を消灯することにより、省電力化が実現される。
【００１２】
更に、折り畳み型携帯通信機５００を開いた状態と折り畳んだ状態とでは、同一の操作キーの機能（同一の操作に応じて実行される機能）が相互に異なっている。
【００１３】
このように、開いた状態と折り畳んだ状態では、折り畳み型携帯通信機５００の動作モードが相互に異なるようにするために、折り畳み型携帯通信機５００は、開閉状態を検知する開閉検知機構を備えている。
【００１４】
この開閉検知機構は、第１のケース体５０１においてヒンジ部５０３から離間した部位の内面に設けられた磁石５０５と、第１のケース５０１において折り畳み型携帯通信機５００を折り畳んだ状態で磁石５０５と対向する部位の内部に設けられ、磁束量を検出するホールＩＣ５０６と、を備えて構成されている。
【００１５】
図１３に示すように折り畳み型携帯通信機１を折り畳むと、磁石５０５とホールＩＣ５０６との距離が狭まり、ホールＩＣ５０６により検出される磁束量が増大し、開閉検知機構は、第１及び第２のケース体５０１，５０２が相互に閉じられたことを検知する。
【００１６】
しかしながら、このような第１の従来例の場合、磁石５０５とホールＩＣ５０６とを相互に対向する位置に配置する必要があり、折り畳み型携帯通信機５００のレイアウトに制約が生じやすいという問題があった。
【００１７】
更に、第１の従来例の場合、折り畳み型携帯通信機５００を例えばバッグの中に収納している状態時に、該折り畳み型携帯通信機５００にクレジットカードなどの磁気カードが近接した場合には、磁石５０５からの漏洩磁力により磁気カードデータが破壊されてしまう懸念もあった。
【００１８】
上記の第１の従来例における問題を解決する従来技術としては、以下に説明する第２及び第３の従来例がある。
【００１９】
＜第２の従来例＞
図１４は第２の従来例の折り畳み型携帯通信機６００を開いた状態を示す斜視図、図１５は図１４のＡ−Ａ線に沿った矢視断面図（要部断面図）、図１６は図１４の折り畳み型携帯通信機６００を折り畳んだ状態の断面図（要部断面図）である。
【００２０】
なお、図１４乃至図１６に示す折り畳み型携帯通信機６００の各構成要素のうち、図１２及び図１３に示す折り畳み型携帯通信機５００におけるのと同様の構成要素には、同一の符号を付し、その説明を省略する。
【００２１】
図１５及び図１６に示すように、折り畳み型携帯通信機６００は、第１のケース体５０１の内部にスイッチ６０１を備えている。このスイッチ６０１は、第１のケース体５０１に形成された開口部６０２の奥に配置されている。
【００２２】
他方、折り畳み型携帯通信機６００の第２のケース体５０２において、当該折り畳み型携帯通信機６００を折り畳んだ状態でスイッチ６０１と対向する部位には、図１４乃至図１６に示すように突起６０３が形成されている。
【００２３】
第２の従来例の場合、折り畳み型携帯通信機６００を図１６に示すように折り畳むと、突起６０３が開口部６０２を介して第１のケース体５０１内に侵入してスイッチ６０１を押し込み、該スイッチ６０１は、当該折り畳み型携帯通信機６００が折り畳まれたことを検出する。
【００２４】
＜第３の従来例＞
図１７は第３の従来例の折り畳み型携帯通信機７００を開いた状態を示す斜視図、図１８は図１７のＡ−Ａ線に沿った矢視断面図（要部断面図）、図１９は図１７の折り畳み型携帯通信機７００を折り畳んだ状態の断面図（要部断面図）である。
【００２５】
なお、図１７乃至図１９に示す折り畳み型携帯通信機７００の各構成要素のうち、図１２及び図１３に示す折り畳み型携帯通信機５００におけるのと同様の構成要素には、同一の符号を付し、その説明を省略する。
【００２６】
図１８及び図１９に示すように、折り畳み型携帯通信機７００は、第２のケース体５０２の内部にスイッチ７０１を備えている。このスイッチ７０１の先端部７０１Ａは、第２のケース体５０２に形成された開口部５０２Ａを介して外部に突出している。なお、スイッチ７０１は、ヒンジ部５０３により覆われ、折り畳み型携帯通信機７００の外部からは視認不能或いは視認困難な配置となっている。
【００２７】
ここで、ヒンジ部５０３は、図１７に示すように、第１のケース体５０１の端部に形成された筒状部７１０，７２０と、第２のケース体５０２の端部に形成された筒状部７３０，７４０，７５０を備えて構成されている。
【００２８】
そして、例えば、筒状部７２０の周面には、ヒンジ部５０３の回動軸から遠ざかる方向に向けて突出する凸部７０２が形成されている。
【００２９】
この凸部７０２は、折り畳み型携帯通信機７００を折り畳んだ状態時（図１９）にはスイッチ７０１の先端部７０１Ａを押し込む一方で、折り畳み型携帯通信機７００を折り畳んだ状態以外の状態時（例えば、図１７及び図１８に示すように開いた状態時）にはスイッチ７０１の先端部７０１Ａを解放するような配置及び形状とされている。
【００３０】
第３の従来例の場合、折り畳み型携帯通信機７００を図１９に示すように折り畳むと、凸部７０２がスイッチ７０１の先端部７０１Ａを押し込み、該スイッチ７０１は、当該折り畳み型携帯通信機７００が折り畳まれたことを検出する。
【００３１】
このように、第２及び第３の従来例の場合、ホールＩＣ５０６及び磁石５０５０を備える必要がないので、第１の従来例と比べると折り畳み型携帯通信機６００、７００のレイアウト上の制約が改善されるとともに、漏洩磁力による問題を解消することができる。
【発明の開示】
【発明が解決しようとする課題】
【００３２】
しかしながら、上記の第２の従来例（図１４〜図１６）の場合、スイッチ６０１を押すための突起６０３を設ける必要があるため、折り畳み型携帯通信機６００のデザイン性を損なうだけでなく、突起６０３を操作キーの近傍に配置するとキー操作の邪魔となる懸念もあった。
【００３３】
また、第３の従来例（図１７〜図１９）の場合、第２のケース体５０２の開口部５０２Ａ及びスイッチ７０１が、ヒンジ部５０３に隠れる位置に配置されているため、第２の従来例と比べると折り畳み型携帯通信機７００のデザイン性を向上できているが、それでも、凸部７０２が、折り畳み型携帯通信機７００を開いた状態で表示部５０４及び操作部側となる面に位置しているため、折り畳み型携帯通信機７００のデザイン性が損なわれているとともに、凸部７０２がキー操作の邪魔となる懸念もあった。
【００３４】
本発明は、上記のような問題点を解決するためになされたもので、折り畳み型携帯通信機に備えられる開閉検知構造において、漏洩磁束が懸念される磁石が不要であるとともに、折り畳み型携帯通信機のデザイン性及び操作性を損なうことのない開閉検知構造、及び、この開閉検知構造を備える折り畳み型携帯通信機を提供することを目的とする。
【課題を解決するための手段】
【００３５】
上記課題を解決するため、本発明の折り畳み型携帯通信機の開閉検知構造は、  ヒンジ部を介して相互に開閉可能に連結された第１筐体及び第２筐体を備えて構成された折り畳み型携帯通信機の開閉状態を検出するための開閉検知構造であって、前記ヒンジ部は、前記第１筐体の一部により構成されているか又は前記第１筐体と一体化された第１部分を備えてなり、前記第２筐体において前記ヒンジ部の前記第１部分によって覆われた部位には、前記ヒンジ部の前記第１部分側に向けて突出する方向へと付勢された出没部を備えてなるスイッチを設け、前記ヒンジ部の前記第１部分において、前記第１筐体及び第２筐体を相互に閉じた状態で前記スイッチの出没部と対向する部位には、凹部を設け、前記第１筐体及び第２筐体を相互に開いた際には、前記スイッチの出没部が突出して前記凹部内に入り込み、前記スイッチが前記折り畳み型携帯通信機の開状態を検出する一方、前記第１筐体及び第２筐体を相互に閉じた際には、前記スイッチの出没部が前記ヒンジ部の前記第１部分の周面により押し込まれ、前記スイッチが前記折り畳み型携帯通信機の閉状態を検出することを特徴としている。
【００３６】
本発明の折り畳み型携帯通信機の開閉検知構造においては、前記凹部は、前記ヒンジ部の前記第１部分において、前記第１筐体及び第２筐体を相互に閉じた状態以外の状態時に前記スイッチの出没部と対向する部位に延在する溝部であることが好ましい。
【００３７】
本発明の折り畳み型携帯通信機の開閉検知構造は、ヒンジ部を介して相互に開閉可能に連結された第１筐体及び第２筐体を備えて構成された折り畳み型携帯通信機の開閉状態を検出するための開閉検知構造であって、前記ヒンジ部は、前記第１筐体の一部により構成されているか又は前記第１筐体と一体化された第１部分を備えてなり、前記第２筐体において前記ヒンジ部の前記第１部分によって覆われた部位には、前記ヒンジ部の前記第１部分側に向けて突出する方向へと付勢された出没部を備えてなるスイッチを設け、前記ヒンジ部の前記第１部分において、前記第１筐体及び第２筐体を相互に閉じた状態で前記スイッチの出没部と対向する部位には、凹部を設け、前記第１筐体及び第２筐体を相互に閉じた際には、前記スイッチの出没部が突出して前記凹部内に入り込み、前記スイッチが前記折り畳み型携帯通信機の閉状態を検出する一方、前記第１筐体及び第２筐体を相互に開いた際には、前記スイッチの出没部が前記ヒンジ部の前記第１部分の周面により押し込まれ、前記スイッチが前記折り畳み型携帯通信機の開状態を検出することを特徴としている。
【００３８】
本発明の折り畳み型携帯通信機の開閉検知構造においては、前記凹部は、前記ヒンジ部の前記第１部分において、前記第１筐体及び第２筐体を相互に開いた状態以外の状態時に前記スイッチの出没部と対向する部位に延在する溝部であることが好ましい。
【００３９】
本発明の折り畳み型携帯通信機の開閉検知構造においては、着信の際にその旨を報知するための発光動作を行う着信報知用発光部を備え、前記着信報知用発光部の少なくとも一部は、前記凹部内に配され、前記第１筐体及び第２筐体を相互に閉じた際に前記折り畳み型携帯通信機の外部より視認可能となることが好ましい。
【００４０】
本発明の折り畳み型携帯通信機の開閉検知構造においては、前記ヒンジ部の外形形状は、前記凹部の形成領域を除いては、略一定径の略円筒状であることが好ましい。
【００４１】
本発明の折り畳み型携帯通信機の開閉検知構造においては、ヒンジ部を介して相互に開閉可能に連結された第１筐体及び第２筐体を備えて構成された折り畳み型携帯通信機の開閉状態を検出するための開閉検知構造であって、前記ヒンジ部は、前記第１筐体の一部により構成されているか又は前記第１筐体と一体化された第１部分を備えてなり、前記第２筐体において前記ヒンジ部の前記第１部分によって覆われた部位には、前記ヒンジ部の前記第１部分側に向けて突出する方向へと付勢された出没部を備えてなるスイッチを設け、前記ヒンジ部の前記第１部分において、前記第１筐体及び第２筐体を相互に開いた状態で前記スイッチの出没部と対向する部位には、凸部を設け、前記第１筐体及び第２筐体を相互に開いた際には、前記スイッチの出没部が前記凸部により押し込まれ、前記スイッチが前記折り畳み型携帯通信機の開状態を検出する一方、前記第１筐体及び第２筐体を相互に閉じた際には、前記スイッチの出没部が突出し、前記スイッチが前記折り畳み型携帯通信機の閉状態を検出することが好ましい。
【００４２】
本発明の折り畳み型携帯通信機の開閉検知構造においては、前記凸部を備えて構成され、着信の際にその旨を報知するための発光動作を行う着信報知用発光部を備え、前記着信報知用発光部の少なくとも一部は、前記第１筐体及び第２筐体を相互に閉じた際に前記折り畳み型携帯通信機の外部より視認可能となることが好ましい。
【００４３】
本発明の折り畳み型携帯通信機の開閉検知構造においては、前記ヒンジ部の外形形状は、前記凸部の形成領域を除いては、略一定径の略円筒状であることが好ましい。
【００４４】
本発明の折り畳み型携帯通信機の開閉検知構造においては、前記スイッチの出没部は、前記第２の筐体に形成された開口部を介して、該第２の筐体外に突出していることが好ましい。
【００４５】
本発明の折り畳み型携帯通信機は、本発明の開閉検知構造を備えることを特徴としている。
【００４６】
本発明の折り畳み型携帯通信機は、例えば、携帯電話機であることを好ましい一例としている。
【発明の効果】
【００４７】
本発明によれば、漏洩磁束が懸念される磁石が不要であるため、折り畳み型携帯通信機を例えばバッグの中に収納している状態で、該折り畳み型携帯通信機にクレジットカードなどの磁気カードが近接しても、漏洩磁力により磁気カードデータが破壊されてしまうことがない。更に、ホールＩＣ及び磁石を備える必要がないので、第１及び第２筐体の内部のレイアウトに関する制約を低減できる。
【００４８】
また、ヒンジ部の第１部分において、第１筐体及び第２筐体を相互に閉じた状態でスイッチの出没部と対向する部位には凹部を設け、第１筐体及び第２筐体を相互に開いた際には、スイッチの出没部が突出して前記凹部内に入り込み、スイッチが前記折り畳み型携帯通信機の開状態を検出する一方、第１筐体及び第２筐体を相互に閉じた際には、スイッチの出没部がヒンジ部の前記第１部分の周面により押し込まれて、スイッチが折り畳み型携帯通信機の閉状態を検出する構成の場合には、例えば、図１乃至図３に示すように、折り畳み型携帯通信機に何ら突起物（例えば、図１４乃至図１６における突起６０３や、図１７乃至図１９における凸部７０２に相当する構成）を設ける必要がないため、折り畳み型携帯通信機のデザイン性及び操作性を損なうことがない。
【００４９】
また、ヒンジ部の第１部分において、第１筐体及び第２筐体を相互に閉じた状態でスイッチの出没部と対向する部位には凹部を設け、第１筐体及び第２筐体を相互に閉じた際には、スイッチの出没部が突出して凹部内に入り込み、スイッチが折り畳み型携帯通信機の閉状態を検出する一方、第１筐体及び第２筐体を相互に開いた際には、スイッチの出没部がヒンジ部の第１部分の周面により押し込まれ、スイッチが折り畳み型携帯通信機の開状態を検出する構成の場合にも、例えば、図８乃至図１１に示すように、折り畳み型携帯通信機に何ら突起物（例えば、図１４乃至図１６における突起６０３や、図１７乃至図１９における凸部７０２に相当する構成）を設ける必要がないため、折り畳み型携帯通信機のデザイン性及び操作性を損なうことがない。
【００５０】
また、ヒンジ部の第１部分において、第１筐体及び第２筐体を相互に閉じた状態でスイッチの出没部と対向する部位には凸部を設け、第１筐体及び第２筐体を相互に開いた際には、スイッチの出没部が凸部により押し込まれ、スイッチが折り畳み型携帯通信機の開状態を検出する一方、第１筐体及び第２筐体を相互に閉じた際には、スイッチの出没部が突出し、スイッチが折り畳み型携帯通信機の閉状態を検出する構成の場合には、例えば、図４乃至図７に示すように、折り畳み型携帯通信機を閉じた際に内側となる面には何ら突起物（例えば、図１４乃至図１６における突起６０３や、図１７乃至図１９における凸部７０２に相当する構成）を設ける必要がないため、折り畳み型携帯通信機のデザイン性及び操作性を損なうことがない。
【発明を実施するための最良の形態】
【００５１】
以下、図面を参照して、本発明に係る実施形態について説明する。
【００５２】
〔第１の実施形態〕
図１は第１の実施形態に係る折り畳み型携帯通信機１００を開いた状態の斜視図であり、図２は図１のＡ−Ａ線に沿った矢視断面図、図３は折り畳み型携帯通信機１００を閉じた状態における図１のＡ−Ａ線に沿った矢視断面図である。
【００５３】
折り畳み型携帯通信機１００は、例えば、携帯電話機或いはＰＨＳ（Ｐｅｒｓｏｎａｌ  Ｈａｎｄｙ  ｐｈｏｎｅ  Ｓｙｓｔｅｍ）などであり、図１乃至図３に示すように、第１のケース体（第１の筐体）１０と、第２のケース体（第２の筐体）２０と、これら第１及び第２のケース体１０，２０を相互に開閉可能に連結するヒンジ部３０と、を備えて構成されている。
【００５４】
第１のケース体１０は、例えばそれぞれ浅底形状の２つの半筐体を、各々の開口端どうしが接合するようにして相互に組み付けることにより、薄型の筐体状に構成されている。
【００５５】
第２のケース体２０も、例えば、第１のケース体１０と同様に、それぞれ浅底形状の２つの半筐体を備えて構成されている。
【００５６】
ヒンジ部３０は、第１及び第２のケース体１０，２０とは完全に別体に構成されていても良いが、本実施形態の場合、ヒンジ部３０は、例えば、第１及び第２のケース体１０，２０の各々の一部を含んで構成されている。
【００５７】
すなわち、ヒンジ部３０は、第１のケース体１０の端部に形成された筒状部（第１部分）３１，３２と、第２のケース体２０の端部に形成された筒状部３３，３４，３５と、これら筒状部３１〜３５の内部に挿入されて第１及び第２のケース体１０，２０を相互に連結するとともにヒンジ部３０の回動軸を構成する軸部材（図示略）と、を備えて構成されている。
【００５８】
第１のケース体１０の筒状部３１，３２と、第２のケース体２０の筒状部３３〜３５とは、例えば、互いのケース体１０，２０の方向に向けて櫛歯状に互い違いに突出しており、これら筒状部３１〜３５を相互に噛み合わせるように配置した状態で、図示しない上記軸部材が該筒状部３１〜３５内に挿入されて、第１及び第２のケース体１０，２０が相互に連結されている。なお、この軸部材は、例えば、複数部分に分割された分割構造をなしていても良い。
【００５９】
このように、第１及び第２のケース体１０，２０は、ヒンジ部３０を介して相互に連結されているので、ヒンジ部３０の回動軸を回動中心として第１及び第２のケース体１０，２０を相対的に回動させることにより、折り畳み型携帯通信機１００を図３に示すように折り畳んだり、図１及び図２に示すように開いたりすることができる。
【００６０】
なお、ヒンジ部３０は、筒状部３１〜３５内に内蔵され、第１及び第２のケース体１０，２０の相対的な回動に抗するトルクを発生させるトルク発生機構（図示略）を、更に備えて構成されていることも好ましい。
【００６１】
また、図１に示すように、例えば第１のケース体１０において、折り畳み型携帯通信機１００を閉じた際に内側となる面には、例えば液晶表示装置からなり、各種の表示動作を行う表示部１１が設けられている。
【００６２】
他方、例えば、第２のケース体２０において、折り畳み型携帯通信機１００を閉じた際に内側となる面には、複数個の操作キーなどからなる操作部（図示略）が設けられている。
【００６３】
更に、図２及び図３に示すように、第１のケース体１０の内部には第１の制御基板１２が、第２のケース体２０の内部には第２の制御基板２２が、それぞれ内蔵されている。
【００６４】
なお、第１及び第２の制御基板１２，２２は、例えば、図示しない電気的接続部材により相互に電気的に接続され、各々独立的に制御動作を行うことが可能であるだけでなく、相互の協働により各種の制御動作を実行可能とされている。
【００６５】
第１及び第２の制御基板１２，２２を相互に電気的に接続する電気的接続部材は、ヒンジ部３０の内部を通過して、第１及び第２の制御基板１２，２２を相互に接続している。
【００６６】
また、図２及び図３に示すように、例えば、第２のケース体２０には、折り畳み型携帯通信機１００の開閉状態を検出する開閉検出スイッチ１３が備えられている。
【００６７】
この開閉検出スイッチ１３は、例えば、第２の制御基板２２上に設けられている。開閉検出スイッチ１３の出没部１３Ａは、ヒンジ部３０の筒状部３１側に向けて突出する方向へと、図示しない付勢手段により付勢されている。そして、出没部１３Ａは、第２のケース体２０に形成された開口部２０Ａを介して、該第２のケース体２０の外部へと突出している。
【００６８】
ここで、第２のケース体２０の端部において、第１のケース体１０の筒状部３１に面した部位は、該筒状部３１の周面に沿うような、弧状の凹曲面２１とされている。なお、図示はしないが、第２のケース体２０の端部において、第１のケース体１０の筒状部３２に面した部位も、同様の凹曲面に形成されている。
【００６９】
第２のケース体２０の凹曲面２１は、第１のケース体１０の筒状部３１により覆われているため、折り畳み型携帯通信機１００の外部からは視認不能ないしは視認困難な状態となっている。
【００７０】
第２のケース体２０の上記開口部２０Ａは、このような凹曲面２１に形成されている。つまり、開口部２０Ａは、第１のケース体１０の筒状部３１により覆われている。
【００７１】
従って、開閉検出スイッチ１３も、第１のケース体１０の筒状部３１により覆われているため、折り畳み型携帯通信機１００の外部からは視認不能ないしは視認困難な配置となっている。
【００７２】
開閉検出スイッチ１３は、その出没部１３Ａが付勢手段の付勢に抗して押し下げられた状態時には、折り畳み型携帯通信機１００が閉じられていること（折り畳まれていること）を検出する一方で、この出没部１３Ａが付勢手段の付勢に従って突出した状態時には、折り畳み型携帯通信機１００が開かれていることを検出する。
【００７３】
また、第１のケース体１０の筒状部３１の周面には、図１乃至図３に示すように、弧状の溝部（凹部）１５が形成されている。この溝部１５は、第１のケース体１０の筒状部３１の周面において、例えば、折り畳み型携帯通信機１００を閉じた状態以外の状態時に開閉検出スイッチ１３の出没部１３Ａと対向する部位に延在している。更に、この溝部１５は、開閉検出スイッチ１３の出没部１３Ａの突出を妨げない深さに形成されている。
【００７４】
従って、折り畳み型携帯通信機１００を閉じた状態以外の状態時には、開閉検出スイッチ１３の出没部１３Ａは突出した状態となって溝部１５内に位置するので、該開閉検出スイッチ１３は、折り畳み型携帯通信機１００が開かれていることを検出する（図３以外の状態であり、例えば、図１、図２の状態）。
【００７５】
他方、第１のケース体１０の筒状部３１の周面において、折り畳み型携帯通信機１００を閉じた状態時に開閉検出スイッチ１３の出没部１３Ａと対向する部位１９は、開閉検出スイッチ１３の出没部１３Ａの突出を妨げるように形成されている。
【００７６】
従って、折り畳み型携帯通信機１００を閉じた状態時には、開閉検出スイッチ１３の出没部１３Ａが筒状部３１の周面（の部位１９）により押し込まれる結果、該開閉検出スイッチ１３は折り畳み型携帯通信機１００が閉じられていることを検出する（図３の状態）。
【００７７】
なお、ヒンジ部３０の外形形状は、溝部１５の形成領域を除いては、ほぼ一定の直径の略円筒形状とされている。
【００７８】
また、図２及び図３に示すように、例えば、第１のケース体１０内の第１の制御基板１２上には、折り畳み型携帯通信機１００に対する着信時（通話や電子メールなどの着信時）に該第１の制御基板１２の制御下で発光動作を行うＬＥＤ１６が設けられている。
【００７９】
更に、例えば、第１のケース体１０の筒状部３１には、着信確認用レンズ部材（着信報知用発光部）１７が設けられている。
【００８０】
この着信確認用レンズ部材１７は、光透過性の材質（例えば、透明又は半透明の樹脂材）からなり、着信時にＬＥＤ１６が発光すると、このＬＥＤ１６からの光を導光し、この光を第１のケース体１０の外部より視認させる。
【００８１】
すなわち、着信確認用レンズ部材１７は、着信時にＬＥＤ１６の発光を外部に導光し、着信が発生した旨を報知する。
【００８２】
この着信確認用レンズ部材１７は、該着信確認用レンズ部材１７に傷や汚れが付きにくいように、その一部が溝部１５内に配設され、筒状部３１の周面よりも一段下がった位置（筒状部３１の周面よりもヒンジ部３０の回動軸の近く）に位置している。
【００８３】
具体的には、着信確認用レンズ部材１７の一部は、例えば、溝部１５の底部の一部を構成している。
【００８４】
なお、着信確認用レンズ部材１７の全体が溝部１５内に配置されていても良い。
【００８５】
また、着信確認用レンズ部材１７は、例えば、図３に示すように折り畳み型携帯通信機１００を閉じた状態時に当該折り畳み型携帯通信機１００の外面に露出するような位置に配され、折り畳み型携帯通信機１００を開いた状態時には、図１及び図２に示すように、筒状部３１により覆われて隠れるようになっている。
【００８６】
次に、動作を説明する。
【００８７】
図３に示すように、折り畳み型携帯通信機１００を折り畳むと、開閉検出スイッチ１３の出没部１３Ａが、ヒンジ部３０の筒状部３１の周面の部位１９により押し込まれるので、該開閉検出スイッチ１３は、折り畳み型携帯通信機１００が折り畳まれたことを検出する。
【００８８】
また、このように折り畳み型携帯通信機１００を折り畳んだ状態では、図３に示すように、着信確認用レンズ部材１７が折り畳み型携帯通信機１００の外面に露出する。よって、着信時におけるＬＥＤ１６の発光に基づく着信確認用レンズ部材１７からの光を視認しやすい状態となる。
【００８９】
着信確認用レンズ部材１７の発光状態は、例えば、折り畳み型携帯通信機１００を、折り畳むとともにヒンジ部３０を上側にして上着の胸ポケットに入れたままの状態でも確認することができる。
【００９０】
なお、このように、折り畳み型携帯通信機１００の折り畳み状態を開閉検出スイッチ１３が検出している状態では、表示部１１による表示動作を停止するとともに、操作部の各操作キーの内部に配されたライト（図示略）を消灯することにより、省電力化が実現される。
【００９１】
更に、折り畳み型携帯通信機１００を開いた状態と折り畳んだ状態とでは、同一の操作キーの機能（同一の操作に応じて実行される機能）が相互に異なっている。
【００９２】
また、折り畳み型携帯通信機１００が折り畳まれた状態以外の状態（例えば、図１及び図２に示すように開いた状態）では、開閉検出スイッチ１３の出没部１３Ａは、筒状部３１の周面による押圧状態から解放されるので、凹部１５内に向けて突出する。
【００９３】
すると、折り畳み型携帯通信機１００が折り畳まれた状態以外の状態であることを開閉検出スイッチ１３が検出するので、折り畳み型携帯通信機１００は、表示部１１による表示動作を開始するとともに、操作部の各操作キーの内部に配されたライト（図示略）を点灯することにより夜間でも操作が容易な状態となる。
【００９４】
なお、図１に示すように、折り畳み型携帯通信機１００を開いた状態で、表示部１１及び操作部側の面には、何ら突起物（例えば、図１４乃至図１６における突起６０３や、図１７乃至図１９における凸部７０２に相当する構成）が存在しない。
【００９５】
つまり、折り畳み型携帯通信機１００は、従来技術よりもデザイン性及び操作性が向上している。
【００９６】
以上のような第１の実施形態によれば、漏洩磁束が懸念される磁石が不要であるため、折り畳み型携帯通信機１００を例えばバッグの中に収納している状態で、該折り畳み型携帯通信機１００にクレジットカードなどの磁気カードが近接しても、漏洩磁力により磁気カードデータが破壊されてしまうことがない。更に、ホールＩＣ及び磁石を備える必要がないので、第１及び第２のケース体１０，２０の内部のレイアウトに関する制約を低減できる。
【００９７】
また、ヒンジ部３０の筒状部（第１部分の一部）３１において第１及び第２のケース体１０，２０を相互に閉じた状態でスイッチ１３の出没部１３Ａと対向する部位には溝部（凹部）１５を設け、第１及び第２のケース体１０，２０を相互に開いた際には、スイッチ１３の出没部１３Ａが突出して溝部１５内に入り込み、スイッチ１３が折り畳み型携帯通信機１００の開状態を検出する一方、第１及び第２のケース体１０，２０を相互に閉じた際には、スイッチ１３の出没部１３Ａがヒンジ部３０の筒状部３１の周面（の部位１９）により押し込まれて、スイッチ１３が折り畳み型携帯通信機１００の閉状態を検出するので、折り畳み型携帯通信機１００に何ら突起物（例えば、図１４乃至図１６における突起６０３や、図１７乃至図１９における凸部７０２に相当する構成）を設ける必要がない。よって、折り畳み型携帯通信機１００のデザイン性及び操作性を損なうことがない。
【００９８】
更に、溝部１５内に着信確認用レンズ部材（着信報知用発光部）１７を設け、該着信確認用レンズ部材１７は、第１及び第２のケース体１０，２０を相互に閉じた際に折り畳み型携帯通信機１００の外部より視認可能となる配置とされているので、着信確認用レンズ部材１７に傷や汚れが付いてしまうことを抑制できると共に、例えば胸ポケットに入れたままの状態で、該着信確認用レンズ部材１７を確認することができる。
【００９９】
〔第２の実施形態〕
図４は第２の実施形態に係る折り畳み型携帯通信機２００を開いた状態の斜視図であり、図５は図４のＡ−Ａ線に沿った矢視断面図、図６は折り畳み型携帯通信機２００を閉じた状態における図４のＡ−Ａ線に沿った矢視断面図、図７は折り畳み型携帯通信機２００を閉じた状態の斜視図である。
【０１００】
第２の実施形態に係る折り畳み型携帯通信機２００の各構成要素のうち、上記の第１の実施形態に係る折り畳み型携帯通信機１００（図１〜図３）におけるのと同様の構成要素には、同一の符号を付し、その説明を省略する。
【０１０１】
上記の第１の実施形態では、着信確認用レンズ部材１７が、筒状部３１の周面よりも一段下がった位置（ヒンジ部３０の回動軸の近く）に位置している例を説明したが、第２の実施形態では、着信確認用レンズ部材１７の一部が凸部１７Ａとされているとともに、着信確認用レンズ部材１７において凸部１７Ａ以外の部分が筒状部３１の周面と面一となっている。
【０１０２】
すなわち、本実施形態の場合、着信確認用レンズ部材１７は、例えば、図４に示すように、筒状部３１に形成されたスリット３１Ａ内に嵌め込まれており、着信確認用レンズ部材１７の外周面（凸部１７Ａ以外の部分）と筒状部３１の外周面とがほぼ面一とされている。また、凸部１７Ａは、筒状部３１の外周面よりも、ヒンジ部３０の回動軸から遠い側に向けて突出している。
【０１０３】
なお、本実施形態の場合、着信確認用レンズ部材１７は、例えば、折り畳み型携帯通信機２００を開いた状態時に、表示部１１及び操作部と同じ側からも視認できるように、上記の第１の実施形態における着信確認用レンズ部材１７よりも筒状部３１の周方向において長尺に（広い角度範囲に）形成されている。
【０１０４】
また、本実施形態の場合、ヒンジ部３０（着信確認用レンズ部材１７を含む）の外形形状は、凸部１７Ａの形成領域を除いては、ほぼ一定の直径の略円筒形状とされている。
【０１０５】
また、第２の実施形態の場合、開閉検出スイッチ１３は、第１の実施形態の場合とは逆に、出没部１３Ａが押し下げられた状態時には折り畳み型携帯通信機１００が開かれていることを検出する一方で、この出没部１３Ａが突出した状態時には折り畳み型携帯通信機２００が折り畳まれていることを検出する。
【０１０６】
次に、動作を説明する。
【０１０７】
本実施形態の場合、図４及び図５に示すように、折り畳み型携帯通信機２００を開くと、開閉検出スイッチ１３の出没部１３Ａが着信確認用レンズ部材１７の凸部１７Ａにより押し込まれ、該開閉検出スイッチ１３は、折り畳み型携帯通信機２００が開かれたことを検出する。
【０１０８】
すると、折り畳み型携帯通信機２００は、表示部１１による表示動作を開始するとともに、操作部の各操作キーの内部に配されたライト（図示略）を点灯することにより夜間でも操作が容易な状態となる。
【０１０９】
なお、図４及び図５に示すように、折り畳み型携帯通信機２００を開いた状態で、表示部１１及び操作部側の面には、何ら突起物（例えば、図１４乃至図１６における突起６０３や、図１７乃至図１９における凸部７０２に相当する構成）が存在しない。
【０１１０】
つまり、折り畳み型携帯通信機２００は、従来技術よりもデザイン性及び操作性が向上している。
【０１１１】
また、このように折り畳み型携帯通信機２００を開いた状態でも、着信確認用レンズ部材１７の一部が表示部１１及び操作部側に位置するため、着信時には着信確認用レンズ部材１７の発光を視認することができる。
【０１１２】
他方、折り畳み型携帯通信機２００が開かれた状態以外の状態（例えば、図６及び図７に示すように折り畳んだ状態）では、開閉検出スイッチ１３の出没部１３Ａは、着信確認用レンズ部材１７の凸部１７Ａによる押圧状態から解放されるので、筒状部３１側に向けて突出する。
【０１１３】
すると、開閉検出スイッチ１３は、折り畳み型携帯通信機２００が開かれた状態以外の状態であることを検出するので、折り畳み型携帯通信機２００は、表示部１１による表示動作を停止するとともに、操作部の各操作キーの内部に配されたライト（図示略）を消灯し、省電力化が実現される。
【０１１４】
また、図６及び図７に示すように、折り畳み型携帯通信機２００を折り畳んだ状態では、上記の第１の実施形態の場合と同様に、着信確認用レンズ部材１７が折り畳み型携帯通信機２００の外面に露出する。
【０１１５】
よって、上記の第１の実施形態の場合と同様に、着信時におけるＬＥＤ１６の発光に基づく着信確認用レンズ部材１７からの光を視認しやすい状態となり、例えばヒンジ部３０を上側にして上着の胸ポケットに入れたままの状態でも着信を確認することができる。
【０１１６】
以上のような第２の実施形態によれば、上記の第１の実施形態と同様に、漏洩磁束が懸念される磁石が不要であるため、折り畳み型携帯通信機２００を例えばバッグの中に収納している状態で、該折り畳み型携帯通信機２００にクレジットカードなどの磁気カードが近接しても、漏洩磁力により磁気カードデータが破壊されてしまうことがない。更に、ホールＩＣ及び磁石を備える必要がないので、第１及び第２のケース体１０，２０の内部のレイアウトに関する制約を低減できる。
【０１１７】
また、ヒンジ部３０の筒状部（第１部分の一部）３１において第１及び第２のケース体１０，２０を相互に開いた状態でスイッチ１３の出没部１３Ａと対向する部位には凸部１７Ａを設け、第１及び第２のケース体１０，２０を相互に開いた際には、スイッチ１３の出没部１３Ａが凸部１７Ａにより押し込まれ、スイッチ１３が折り畳み型携帯通信機２００の開状態を検出する一方、第１及び第２のケース体１０，２０を相互に閉じた際には、スイッチ１３の出没部１３Ａが突出し、スイッチ１３が折り畳み型携帯通信機２００の閉状態を検出するので、折り畳み型携帯通信機２００において閉じた際に内側となる面には何ら突起物（例えば、図１４乃至図１６における突起６０３や、図１７乃至図１９における凸部７０２に相当する構成）を設ける必要がない。よって、折り畳み型携帯通信機２００のデザイン性及び操作性を損なうことがない。
【０１１８】
更に、着信確認用レンズ部材１７は、第１及び第２のケース体１０，２０を相互に閉じた際に折り畳み型携帯通信機２００の外部より視認可能となる配置とされているので、着信確認用レンズ部材１７に傷や汚れが付いてしまうことを抑制できると共に、例えば胸ポケットに入れたままの状態で、該着信確認用レンズ部材１７を確認することができる。
【０１１９】
〔第３の実施形態〕
図８は第３の実施形態に係る折り畳み型携帯通信機３００を開いた状態の斜視図であり、図９は図８のＡ−Ａ線に沿った矢視断面図、図１０は折り畳み型携帯通信機３００を閉じた状態における図８のＡ−Ａ線に沿った矢視断面図、図１１は折り畳み型携帯通信機３００を閉じた状態の斜視図である。
【０１２０】
第３の実施形態に係る折り畳み型携帯通信機３００の各構成要素のうち、上記の第２の実施形態に係る折り畳み型携帯通信機２００（図４〜図７）におけるのと同様の構成要素には、同一の符号を付し、その説明を省略する。
【０１２１】
上記の第２の実施形態では、着信確認用レンズ部材１７が凸部１７Ａを有する例を説明したが、第３の実施形態では、着信確認用レンズ部材１７が凸部１７Ａを有しない代わりに、溝部１７Ｂを有する例について説明する。
【０１２２】
また、第３の実施形態の場合、開閉検出スイッチ１３は、第２の実施形態の場合と同様に、出没部１３Ａが押し下げられた状態時には折り畳み型携帯通信機３００が開かれていることを検出する一方で、この出没部１３Ａが突出した状態時には折り畳み型携帯通信機３００が折り畳まれていることを検出する。
【０１２３】
図８乃至図１１に示すように、着信確認用レンズ部材１７には、溝部１７Ｂが形成されている。この溝部１７Ｂは、筒状部３１に形成された溝部３１Ｂとともに、一連の溝部３０１を構成している。
【０１２４】
この溝部３０１は、第１のケース体１０の筒状部３１の周面において、例えば、折り畳み型携帯通信機３００を開いた状態（図８及び図９）以外の状態時（例えば、図１０及び図１１に示すように閉じた状態）に開閉検出スイッチ１３の出没部１３Ａと対向する部位に形成されている。
【０１２５】
更に、この溝部３０１は、開閉検出スイッチ１３の出没部１３Ａの突出を妨げない深さに形成されている。
【０１２６】
従って、折り畳み型携帯通信機３００を開いた状態以外の状態時には、開閉検出スイッチ１３の出没部１３Ａは突出した状態となって溝部３０１内に位置するので、該開閉検出スイッチ１３は、折り畳み型携帯通信機３００が開いた状態以外の状態であることを検出する。
【０１２７】
他方、着信確認用レンズ部材１７の周面において、折り畳み型携帯通信機３００を開いた状態時に開閉検出スイッチ１３の出没部１３Ａと対向する部位１７Ｃは、開閉検出スイッチ１３の出没部１３Ａの突出を妨げるように形成されている。
【０１２８】
従って、折り畳み型携帯通信機３００を開いた状態時には、開閉検出スイッチ１３の出没部１３Ａが着信確認用レンズ部材１７の周面（の部位１７Ｃ）により押し込まれる結果、該開閉検出スイッチ１３は折り畳み型携帯通信機３００が開かれていることを検出する（図８及び図９の状態）。
【０１２９】
なお、着信確認用レンズ部材１７の部位１７Ｃと筒状部３１の外周面とは、ほぼ面一とされている。
【０１３０】
また、本実施形態の場合、ヒンジ部３０（着信確認用レンズ部材１７を含む）の外形形状は、溝部３０１の形成領域を除いては、ほぼ一定の直径の略円筒形状とされている。
【０１３１】
次に、動作を説明する。
【０１３２】
本実施形態の場合、図８及び図９に示すように、折り畳み型携帯通信機３００を開くと、開閉検出スイッチ１３の出没部１３Ａが着信確認用レンズ部材１７の部位１７Ｃにより押し込まれ、該開閉検出スイッチ１３は、折り畳み型携帯通信機３００が開かれたことを検出する。
【０１３３】
すると、折り畳み型携帯通信機３００は、表示部１１による表示動作を開始するとともに、操作部の各操作キーの内部に配されたライト（図示略）を点灯することにより夜間でも操作が容易な状態となる。
【０１３４】
なお、図８及び図９に示すように、折り畳み型携帯通信機３００を開いた状態で、表示部１１及び操作部側の面には、何ら突起物（例えば、図１４乃至図１６における突起６０３や、図１７乃至図１９における凸部７０２に相当する構成）が存在しない。
【０１３５】
つまり、折り畳み型携帯通信機３００は、従来技術よりもデザイン性及び操作性が向上している。
【０１３６】
また、このように折り畳み型携帯通信機３００を開いた状態でも、着信確認用レンズ部材１７の一部が表示部１１及び操作部側に位置するため、着信時には着信確認用レンズ部材１７の発光を視認することができる。
【０１３７】
他方、折り畳み型携帯通信機３００が開かれた状態以外の状態（例えば、図１０及び図１１に示すように折り畳んだ状態）では、開閉検出スイッチ１３の出没部１３Ａは、着信確認用レンズ部材１７の部位１７Ｃによる押圧状態から解放されるので、筒状部３１側に向けて突出し、溝部３０１内に位置する。
【０１３８】
すると、開閉検出スイッチ１３は、折り畳み型携帯通信機３００が開かれた状態以外の状態であることを検出するので、折り畳み型携帯通信機３００は、表示部１１による表示動作を停止するとともに、操作部の各操作キーの内部に配されたライト（図示略）を消灯し、省電力化が実現される。
【０１３９】
また、図１０及び図１１に示すように、折り畳み型携帯通信機３００を折り畳んだ状態では、上記の第２の実施形態の場合と同様に、着信確認用レンズ部材１７が折り畳み型携帯通信機３００の外面に露出する。
【０１４０】
よって、上記の第２の実施形態の場合と同様に、着信時におけるＬＥＤ１６の発光に基づく着信確認用レンズ部材１７からの光を視認しやすい状態となり、例えばヒンジ部３０を上側にして上着の胸ポケットに入れたままの状態でも着信を確認することができる。
【０１４１】
以上のような第３の実施形態によれば、上記の第１及び第２の実施形態と同様に、漏洩磁束が懸念される磁石が不要であるため、折り畳み型携帯通信機３００を例えばバッグの中に収納している状態で、該折り畳み型携帯通信機３００にクレジットカードなどの磁気カードが近接しても、漏洩磁力により磁気カードデータが破壊されてしまうことがない。更に、ホールＩＣ及び磁石を備える必要がないので、第１及び第２のケース体１０，２０の内部のレイアウトに関する制約を低減できる。
【０１４２】
また、ヒンジ部３０の筒状部（第１部分の一部）３１において第１及び第２のケース体１０，２０を相互に閉じた状態でスイッチ１３の出没部１３Ａと対向する部位には溝部３０１を設け、第１及び第２のケース体１０，２０を相互に閉じた際には、スイッチ１３の出没部１３Ａが突出して溝部３０１内に入り込み、スイッチ１３が折り畳み型携帯通信機３００の閉状態を検出する一方、第１及び第２のケース体１０，２０を相互に開いた際には、スイッチ１３の出没部１３Ａが部位１７Ｃにより押し込まれ、スイッチ１３が折り畳み型携帯通信機３００の開状態を検出するので、折り畳み型携帯通信機３００に何ら突起物（例えば、図１４乃至図１６における突起６０３や、図１７乃至図１９における凸部７０２に相当する構成）を設ける必要がない。よって、折り畳み型携帯通信機３００のデザイン性及び操作性を損なうことがない。
【０１４３】
更に、着信確認用レンズ部材１７は、第１及び第２のケース体１０，２０を相互に閉じた際に折り畳み型携帯通信機３００の外部より視認可能となる配置とされているので、着信確認用レンズ部材１７に傷や汚れが付いてしまうことを抑制できると共に、例えば胸ポケットに入れたままの状態で、該着信確認用レンズ部材１７を確認することができる。
【０１４４】
なお、上記の各実施形態では、本発明に係る折り畳み型携帯通信機が、携帯電話機或いはＰＨＳである例を説明したが、本発明はこれに限らず、例えば、例えば、ＰＤＡ（Ｐｅｒｓｏｎａｌ  Ｄｉｇｉｔａｌ  Ａｓｓｉｓｔａｎｔ）或いはその他の携帯情報端末装置にも同様に適用可能である。
【０１４５】
また、上記の第１の実施形態でも、上記の第２及び第３の実施形態と同様に、着信確認用レンズ部材１７を筒状部３１の周方向において長尺に（広い角度範囲に）形成し、折り畳み型携帯通信機１００を開いた状態時に、表示部１１及び操作部と同じ側からも着信確認用レンズ部材１７を視認できるようにすることも好ましい。
【０１４６】
或いは、逆に、上記の第２及び第３の実施形態でも、上記の第１の実施形態と同様に、着信確認用レンズ部材１７を筒状部３１の周方向において短尺に（狭い角度範囲に）形成し、折り畳み型携帯通信機２００，３００を閉じた状態時にのみ、着信確認用レンズ部材１７を視認できるようにしても良い。
【０１４７】
また、上記の各実施形態では、折り畳み型携帯通信機１００、２００，３００が着信確認用レンズ部材１７を備える例を説明したが、それぞれ着信確認用レンズ部材１７を備えていなくても良い。なお、第２の実施形態の場合に着信確認用レンズ部材１７を備えない構成の場合、凸部１７Ａを筒状部３１に形成すればよい。また、第３の実施形態の場合に着信確認用レンズ部材１７を備えない構成の場合、溝部３０１の全体を筒状部３１に形成すればよい。
【０１４８】
また、上記の第２の実施形態ではヒンジ部３０が凸部１７Ａを備える代わりに溝部３０１を備えない構成を説明し、第３の実施形態ではヒンジ部３０が凸部１７Ａを備えない代わりに溝部３０１を備える構成を説明したが、本発明はこの例に限らず、例えば、ヒンジ部３０が溝部３０１及び凸部１７Ａを共に備えるようにしてもよい。この場合、溝部３０１の底面と凸部１７Ａの頂部との高低差がスイッチ１３の出没部１３Ａの動作可能範囲を規定するため、凸部１７Ａの突出高さを従来技術よりも抑制できる。よって、従来技術よりもデザイン性及び操作性を向上できる。
【０１４９】
同様に、上記の第１の実施形態では、ヒンジ部３０が溝部１５を備え、ヒンジ部３０の部位１９が凸部とはされていない例を説明したが、この部位１９は凸部とされていても良い。この場合にも、溝部１５の底面と部位１９の頂部との高低差がスイッチ１３の出没部１３Ａの動作可能範囲を規定するため、部位１９の突出高さを従来技術よりも抑制できる。よって、従来技術よりもデザイン性及び操作性を向上できる。
【０１５０】
また、上記の各実施形態では、ヒンジ部３０の筒状部３１，３２が第１のケース体１０の一部により構成され、筒状部３３〜３５が第２のケース体２０の一部により構成されている例を説明したが、本発明はこの例に限らず、筒状部３１，３２は第１のケース体１０とは別体であるが、該第１のケース体１０と一体化された部材からなり、同様に、筒状部３３〜３５は第２のケース体２０とは別体であるが、該第２のケース体２０と一体化された部材からなるのであっても良い。
【０１５１】
また、上記の各実施形態では、第１のケース体（第１筐体）１０が表示部１１を備える一方で、第２のケース体（第２筐体）２０が操作部を備える例を説明したが、それとは反対に、第１のケース体１０が操作部を備える一方で、第２のケース体２０が表示部１１を備えるのであっても良い。
【図面の簡単な説明】
【０１５２】
【図１】第１の実施形態に係る折り畳み型携帯通信機を開いた状態を示す斜視図である。
【図２】第１の実施形態に係る折り畳み型携帯通信機を開いた状態を示す断面図である。
【図３】第１の実施形態に係る折り畳み型携帯通信機を閉じた状態を示す断面図である。
【図４】第２の実施形態に係る折り畳み型携帯通信機を開いた状態を示す斜視図である。
【図５】第２の実施形態に係る折り畳み型携帯通信機を開いた状態を示す断面図である。
【図６】第２の実施形態に係る折り畳み型携帯通信機を閉じた状態を示す断面図である。
【図７】第２の実施形態に係る折り畳み型携帯通信機を閉じた状態を示す斜視図である。
【図８】第３の実施形態に係る折り畳み型携帯通信機を開いた状態を示す斜視図である。
【図９】第３の実施形態に係る折り畳み型携帯通信機を開いた状態を示す断面図である。
【図１０】第３の実施形態に係る折り畳み型携帯通信機を閉じた状態を示す断面図である。
【図１１】第３の実施形態に係る折り畳み型携帯通信機を閉じた状態を示す斜視図である。
【図１２】第１の従来例の折り畳み型携帯通信機を開いた状態を示す斜視図である。
【図１３】第１の従来例の折り畳み型携帯通信機を閉じた状態を示す断面図である。
【図１４】第２の従来例の折り畳み型携帯通信機を開いた状態を示す斜視図である。
【図１５】第２の従来例の折り畳み型携帯通信機を開いた状態を示す断面図である。
【図１６】第２の従来例の折り畳み型携帯通信機を閉じた状態を示す断面図である。
【図１７】第３の従来例の折り畳み型携帯通信機を開いた状態を示す斜視図である。
【図１８】第３の従来例の折り畳み型携帯通信機を開いた状態を示す断面図である。
【図１９】第３の従来例の折り畳み型携帯通信機を閉じた状態を示す断面図である。
【符号の説明】
【０１５３】
１００    折り畳み型携帯通信機
１０      第１のケース体（第１筐体）
２０      第２のケース体（第２筐体）
２１      開口部
１３      スイッチ
１３Ａ    出没部
１５      溝部（凹部）
１７      着信確認用レンズ部材（着信報知用発光部）
１９      部位（第１部分の周面）
３０      ヒンジ部
３１      筒状部（第１部分の一部）
２００    折り畳み型携帯通信機
１７Ａ    凸部
３００    折り畳み型携帯通信機
３０１    溝部（凹部）
【図１】
2006186501.tif 000003
【図２】
2006186501.tif 000004
【図３】
2006186501.tif 000005
【図４】
2006186501.tif 000006
【図５】
2006186501.tif 000007
【図６】
2006186501.tif 000008
【図７】
2006186501.tif 000009
【図８】
2006186501.tif 000010
【図９】
2006186501.tif 000011
【図１０】
2006186501.tif 000012
【図１１】
2006186501.tif 000013
【図１２】
2006186501.tif 000014
【図１３】
2006186501.tif 000015
【図１４】
2006186501.tif 000016
【図１５】
2006186501.tif 000017
【図１６】
2006186501.tif 000018
【図１７】
2006186501.tif 000019
【図１８】
2006186501.tif 000020
【図１９】
2006186501.tif 000021